(57)【特許請求の範囲】
【請求項１】
筒状のノズル部を備えた容器用スパウトであって、
前記ノズル部の上端開口部の周縁部に複数の突起が形成されており、
前記突起は、突出方向の基端側から先端側に向かって先細り形状となっており、
内部に非飲料が収容される容器に取り付けて用いられる、誤飲防止用の容器用スパウト。
【請求項２】
前記突起として、前記ノズル部の外周面から水平方向の外方に向かって突出する側方突起を備えている、請求項１に記載の容器用スパウト。
【請求項３】
前記側方突起は、前記ノズル部の上端面から下方に５ｍｍ以内の位置に設けられている、請求項２に記載の容器用スパウト。
【請求項４】
前記ノズル部は、その外周部にキャップ螺合用の螺条を有し、前記側方突起の突出高さが該螺条の突出高さより低い、請求項２又は３に記載の容器用スパウト。
【請求項５】
前記突起として、前記ノズル部の上端面から上方に向かって突出する上方突起を備えている、請求項１〜４の何れか１項に記載の容器用スパウト。
【請求項６】
請求項１〜５の何れか１項に記載の容器用スパウトを備えた容器であり、
内部に非飲料が収容されている、スパウト付容器。
【請求項７】
前記容器用スパウトが、前記ノズル部と、容器本体部に固着される固着部とを備えており、該固着部が該容器本体部に固着されている、請求項６に記載のスパウト付容器。
【請求項８】
前記容器本体部は、天面シート部、正面シート部、背面シート部及び底面シート部を有し、該天面シート部に前記容器用スパウトの固着部が固着されている、請求項７に記載のスパウト付容器。
【請求項９】
前記容器本体部に、誤飲防止に関する注意喚起情報が印刷されている請求項７又は８に記載のスパウト付容器。
【請求項１０】
筒状のノズル部を備えた容器であって、
前記ノズル部の上端開口部の周縁部に複数の突起が形成されており、
前記突起は、誤飲防止用の突起であり、突出方向の基端側から先端側に向かって先細り形状となっており、
内部に非飲料が収容されている、容器。
【発明の詳細な説明】
【技術分野】
【０００１】
本発明は、容器用スパウト、スパウト付容器及び容器に関する。
【背景技術】
【０００２】
容器に収容された飲料ではない医薬品や洗剤等を子供が誤って飲んでしまう誤飲を防止する技術として、容器の口部に、スクイズ開閉キャップと呼ばれる子供が容易に開封できない誤飲防止用のキャップを取り付けることが行われている。
例えば、特許文献１には、容器と、その容器の口部に螺着されるキャップとからなり、該容器に対する該キャップを弛める方向への相対的な回転を不能にするスクイズ状態が形成されるスクイズ開閉キャップ付容器において、そのスクイズ状態が、キャップの下部に設けた薄肉円筒部の特定の位置を強く押圧することにより解除されるようにしたスクイズ開閉キャップ付の容器が記載されている。
【先行技術文献】
【特許文献】
【０００３】
【特許文献１】特開２０１３−１４７２８１号公報
【発明の概要】
【発明が解決しようとする課題】
【０００４】
しかし、キャップを容易には取り外せないようにする誤飲防止技術は、例えば、力は強いが認識力や視力が低下した大人が、内容物が非飲料である容器を内容物が飲料であると誤認してキャップを開蓋してしまう恐れがある。また誤認や他の何等かの理由によりキャップが開蓋されてしまった場合の誤飲を防止する別の手段がない。
【０００５】
本発明の課題は、前述した従来技術が有する解決課題を解決することにある。
【課題を解決するための手段】
【０００６】
本発明は、筒状のノズル部を備えた容器用スパウトであって、前記ノズル部の上端開口部の周縁部に複数の突起が形成されている、容器用スパウトを提供するものである。
また、本発明は、前記の容器用スパウトを備えた容器であるスパウト付容器を提供するものである。
また、本発明は、筒状のノズル部を備えた容器であって、前記ノズル部の上端開口部の周縁部に複数の突起が形成されている、容器を提供するものである。
【発明の効果】
【０００７】
本発明の容器用スパウト、スパウト付容器及び容器によれば、口唇に突起が触れたときの感触により、容器の内容物が飲料ではないことを容易に認識させることができる。
【図面の簡単な説明】
【０００８】
【図１】図１は、本発明のスパウト付容器及び容器の一実施形態を示す斜視図である。
【図２】図２は、本発明の容器用スパウトの一実施形態を示す図であり、図２（ａ）は斜視図、図２（ｂ）は図２（ｃ）のＩＩ−ＩＩ線断面図、図２（ｃ）は平面図である。
【図３】図３は、図１に示すスパウト付容器の閉蓋状態におけるノズル部近傍を示す縦断面図である。
【図４】図４（ａ）〜図４（ｃ）は、側方突起の好ましい形態を示す側方突起の水平方向断面図である。
【図５】図５は、図２に示す容器用スパウトの左側面図である。
【図６】図６は、本発明の容器用スパウトの他の実施形態を示す斜視図である。
【発明を実施するための形態】
【０００９】
以下に、本発明をその好ましい実施形態に基づいて説明する。
図１に示すスパウト付容器１００は、本発明のスパウト付容器及び容器の一実施形態であり、本発明の容器用スパウトの一実施形態である容器用スパウト１を備えている。
本実施形態のスパウト付容器１００は、容器用スパウト１及び容器本体部２を備えており、更にキャップ３を備えている。
容器用スパウト１は、袋状の容器本体部２に固定することにより、内部に内容物の注出路１２Ａを備えたノズル部１１を有するスパウト付容器１００とすることができる。図１に示すスパウト付容器１００は、図２に示す容器用スパウト１が、軟包材からなる容器本体部２に固着されている。
【００１０】
本実施形態に係る容器用スパウト１（以下、単に容器用スパウト１という）は、図２に示すように、筒状のノズル部１１と、容器本体部２に固着される固着部１９とを備えている。
容器用スパウト１のノズル部１１は、上下端が開口した円筒状をなし、固着部１９は、ノズル部１１の下端部から水平方向に張り出すように連設されている。図２に示す固着部１９は、平面視略矩形の環状の板状体であるが、固着部１９の形態は任意に変更できる。
【００１１】
スパウト付容器１００の容器本体部２は、図１に示すように、天面シート部２１、正面シート部２２、背面シート部２３及び底面シート部２４を有し、天面シート部２１により天面部、正面シート部２２により正面部、背面シート部２３により背面部、及び底面シート部２４により底部が形成されている。容器本体部２においては、正面シート部２２の両側の側縁部２２ｓ，２２ｓと背面シート部２３の両側の側縁部２３ｓ，２３ｓとが接合されており、正面シート部２２と背面シート部２３とからなる筒状体の下端部に、底面シート部２４の周縁部が接合されている。容器本体部２の上部においては、正面シート部２２の上端縁２２ｔと天面シート部２１の正面側の縁部２１ｓとが接合され、背面シート部２３の上端縁２３ｔと天面シート部２１の背面側の縁部２１ｓ’とが接合されている。本実施形態における容器本体部２は、このように、天面シート部２１、正面シート部２２、背面シート部２３及び底面シート部２４の各部が接合されることによって袋状に形成されており、内部に、液体の内容物を収容可能な収容部２５が形成されている。本実施形態のスパウト付容器１００は、容器本体部２が可撓性のシート材からなるパウチ容器である。本発明のスパウト付容器は、自立可能なものに限られないが、本実施形態のスパウト付容器１００は自立可能な容器である。
【００１２】
容器本体部２は、図３に示すように、天面シート部２１からなる天面部に、スパウト取付用の貫通孔２１ａを有しており、上述した容器用スパウト１は、前述したノズル部１１を貫通孔２１ａに挿通させた状態で、天面シート部２１の下面に板状の固着部１９の上面を接合することによって、容器本体部２に固着されている。
容器本体部２を構成する各シート部間の接合や、容器本体部２に固着部１９を固着する接合の方法としては、ヒートシール、超音波シール、高周波シール、接着剤等の各種公知の方法を用いることができる。
【００１３】
本実施形態における容器用スパウト１は、図２に示すように、ノズル部１１の上端開口部１２の周縁部Ｓに複数の側方突起１３が形成されている。本実施形態における側方突起１３は、ノズル部１１の周方向における相異なる位置に複数形成されており、より具体的には、ノズル部１１の周方向に所定の間隔を設けて複数形成されている。ここで、前記間隔とは、ノズル部の周方向において隣り合う側方突起１３の基端部（ノズル部１１の外周面１１ａとの境界部）どうしの間隔を意味する。
また、個々の側方突起１３は、ノズル部１１の外周面１１ａから水平方向の外方に向かって突出している。側方突起１３が突出する「水平方向の外方」は、ノズル部１１の中心線Ｌから遠ざかる方向である。
【００１４】
ノズル部１１の上端開口部１２は、ノズル部１１の突出方向の先端に位置する開口部であり、スパウト付容器１００の内外を連通する注出路１２Ａの容器外方側の端部に形成されている。
容器用スパウトやノズル部に関し、上側、上方、水平方向及び高さ方向は、図２に示すように、上端開口部１２を鉛直上側に向けて、筒状のノズル部１１の中心線Ｌを鉛直方向Ｙと平行とした状態において、鉛直上側、鉛直上方、水平方向（鉛直方向に対して直交する方向）、及び鉛直方向Ｙと平行な方向である。また、ノズル部１１の上端開口部１２の周縁部Ｓとは、スパウト付容器１００内に飲料水を入れ、その飲料水をノズル部１１に直接口を付けて飲もうとしたときに、口唇に当る部分であり、好ましくは、図２に示すように、ノズル部１１の上端面１１ｂから下方に向かって距離５ｍｍの位置に設定した基準位置Ｐより上側に位置する部分Ｓｕであり、該部分Ｓｕ内に、ノズル部１１の外周面１１ａから突出する側方突起１３の基端部を有していることが好ましい。
側方突起１３は、図２に示すように、個々の突起の全体が当該部分Ｓｕに位置することが好ましいが、個々の突起の一部分のみが当該部分Ｓｕに位置していても良い。
【００１５】
本実施形態のスパウト付容器１００は、非飲料である液体を内部に充填して非飲料用の容器として好ましく用いられる。
本実施形態のスパウト付容器１００によれば、内部に非飲料が収容された状態において、消費者等が、内容物が飲料であると誤ってノズル部１１を口に当てたときに、口唇に側方突起１３が当ることによって、消費者等は、口唇に、飲料容器の場合とは異なる感触、即ち違和感を覚える。これにより、飲料容器ではないことに気づき、飲むことをやめることができるため、飲料ではないものを誤飲することを効果的に防止することができる。
【００１６】
ノズル部１１を当てた口唇に違和感を与える観点から、ノズル部１１の高さ方向Ｙにおいて、側方突起１３は、ノズル部１１の上端面１１ｂから側方突起１３の基端部までの離間距離Ｌｍ〔図２（ｂ）参照〕が、好ましくは０ｍｍ以上５ｍｍ以下であり、より好ましくは０ｍｍ以上３ｍｍ以下であり、更に好ましくは０ｍｍ以上１ｍｍ以下である。なお、側方突起１３の一部が、ノズル部１１の上端面１１ｂより上方に突出している場合、前記離間距離Ｌｍは０ｍｍとする。
【００１７】
ノズル部１１を当てた口唇に確実に違和感を与える観点から、側方突起１３は、図２に示すように、所定の間隔で、ノズル部１１の全周囲に亘って形成されていることが好ましく、周方向に等間隔に形成されていることが更に好ましい。
同様の観点から、側方突起１３の個数は、ノズル部１１の周囲に２個以上形成されていることが好ましく、８個以上３２個以下形成されていることがより好ましく、１６個以上３２個以下形成されていることが更に好ましい。
同様の観点から、ノズル部１１の周方向において隣り合う側方突起１３どうし間の距離（ノズル部１１の外周面に沿って測定した長さ）は、好ましくは０ｍｍ以上６ｍｍ以下、より好ましくは０ｍｍ以上２ｍｍ以下である。ここで、ノズル部１１の周方向において隣り合う側方突起１３の基端部どうし間の距離が０ｍｍとは、複数の側方突起１３が、周方向に連続して設けられていることを意味する。
【００１８】
また、側方突起１３は、その突出高さＴ３〔基端部から先端部までの距離、図４（ａ）参照〕が、好ましくは０．２ｍｍ以上、より好ましくは０．４ｍｍ以上であり、また好ましくは１ｍｍ以下、より好ましくは０．５ｍｍ以下であり、また好ましくは０．２ｍｍ以上１ｍｍ以下、より好ましくは０．４ｍｍ以上０．５ｍｍ以下である。
また、側方突起１３の突出高さＴ３は、側方突起１３の基端部におけるノズル部１１の周方向に沿う幅Ｗに対する比（Ｔ３／Ｗ）が、好ましくは０．１以上０．５以下、より好ましくは０．２以上０．３以下である。
【００１９】
また、ノズル部１１を当てた口唇に違和感を与える観点から、側方突起１３は、図４(ａ)や図４（ｂ）に示すように、突出方向Ｔの先端部に角部１３ａを有することが好ましい。図４（ａ）〜図４（ｃ）は、好ましい側方突起１３の、ノズル部の中心軸Ｌに直交する平面による水平断面の形状を示す図である。図４（ａ）に示す側方突起１３は、図２に示すように、三角柱状の立体形態を有しており、水平断面の形状が略三角形状である。図４（ｂ）に示す側方突起１３は、四角柱状の立体形態を有しており、水平断面の形状が略台形状である。図４（ｃ）に示す側方突起１３は、水平断面の形状が半楕円状の半円柱状の立体形態を有している。
【００２０】
側方突起１３は、図４(ａ)〜図４（ｃ）に示す側方突起のように、水平断面の形状が、突出方向Ｔの基端側から先端側に向かって先細り形状となっていることが好ましい。また、ノズル部の中心軸Ｌを含む平面による縦断面の形状が、突出方向Ｔの基端側から先端側に向かって先細り形状となっていることも好ましい。更に、水平断面の形状及び縦断面の形状がいずれも、突出方向Ｔの基端側から先端側に向かって先細り形状となっていることも好ましく、例えば、側方突起１３として、円錐状若しくは角錐状の突起や、それらの突起の頂部を曲面状に丸めたもの等を設けても良く、側方突起１３として、円錐台状や角錐台状の突起を設けることもできる。
また、側方突起１３として、先細り形状ではない、円柱や角柱状の突起を設けることもできる。また、側方突起１３として、形態の異なる複数種類の側方突起１３を、周方向に所定の順序で配置することもできる。
【００２１】
本実施形態の容器用スパウト１のノズル部１１は、その外周面１１ａに、キャップ螺合用の螺条１５が突設されており、側方突起１３の突出高さＴ３は、該螺条１５の突出高さＴ５より低くなっている。
即ち、ノズル部１１の上端開口部は、図３に示すように、内周面３２ａに螺条３３を有するキャップ３を、外周面に螺条１５を有するノズル部１１に螺合させることにより液密に閉鎖可能であるが、側方突起１３は、その突出高さＴ３が、その螺条１５の突出高さＴ５より低くなっている。側方突起１３の突出高さＴ３及び螺条１５の突出高さＴ５は、ノズル部１１の中心軸Ｌからの距離が等しい共通の基準面からの高さであり、例えば、図２（ｂ）に示すように、側方突起１３が基端が位置するノズル部１１の外周面１１ａを基準面として該基準面からの突出高さを計測する。
側方突起１３の突出高さＴ３を螺条１５の突出高さＴ５より低くすることで、ノズル部１１にキャップ３を螺合させる時に、螺条３３と螺条１５とが干渉することなく、スムーズに螺合可能であり、また側方突起１３が変形したり潰れたりすることを防止することができる。
【００２２】
また、図５に示すように、側方突起１３は、ノズル部１１の高さ方向Ｙにおいて、キャップ螺合用の螺条１５の上端位置Ｐ１より上側に形成されていることが、螺条１５が接触することによる感触よりも側方突起１３が接触することによる感触を強く知覚させる観点から好ましい。キャップ螺合用の螺条１５の上端位置Ｐ１は、螺条１５を構成する部分のうち、ノズル部１１の高さ方向Ｙにおいて、最も上方に位置する部分の高さ位置である。
【００２３】
本実施形態における容器用スパウト１は、図２に示すように、ノズル部１１の上端開口部１２の周縁部Ｓに、周方向に間隔を開けて、複数の上方突起１４が形成されている。上方突起１４は、ノズル部１１の周方向に所定の間隔を設けて複数形成されており、個々の上方突起１４は、ノズル部１１の上端面１１ｂから上方に向かって突出している。本実施形態における隣り合う上方突起１４同士の間隔はゼロ超であるが、ゼロであっても良い。上方突起１４については、ノズル部１１の上端面１１ｂから上方に突出して、必ず口唇に当るため、ノズル部１１の上端面１１ｂとの離間距離とは無関係に、ノズル部１１の上端開口部１２の周縁部に設けられたものとなる。
【００２４】
本実施形態のスパウト付容器１００によれば、内部に非飲料が収容された状態において、消費者等が内容物が飲料であると誤ってノズル部１１を口に当てたときに、口唇に上方突起１４が当ることによっても、消費者等は、口唇に、飲料容器の場合とは異なる感触を感じることにより違和感を覚える。これにより、より確実に飲料容器ではないことを認識させることができ、飲料ではないものの誤飲を一層確実に防止することができる。
ノズル部１１を当てた口唇に違和感を与える観点から、上方突起１４は、その突出高さＴ４〔図２（ｂ）参照〕が、好ましくは０．２ｍｍ以上、より好ましくは０．４ｍｍ以上であり、また好ましくは１ｍｍ以下、より好ましくは０．５ｍｍ以下であり、また好ましくは０．２ｍｍ以上１ｍｍ以下、より好ましくは０．４ｍｍ以上０．５ｍｍ以下である。
【００２５】
ノズル部１１を当てた口唇に確実に違和感を与える観点から、上方突起１４も、図２に示すように、所定の間隔で、ノズル部１１の全周囲に亘って形成されていることが好ましく、周方向に等間隔に形成されていることが更に好ましい。
同様の観点から、上方突起１４の個数は、ノズル部１１の周囲に２個以上形成されていることが好ましく、８個以上３２個以下形成されていることがより好ましく、８個以上１６個以下形成されていることが更に好ましい。
同様の観点から、ノズル部１１の周方向において隣り合う上方突起１４どうし間の最短距離は、好ましくは０ｍｍ以上６ｍｍ以下、より好ましくは０ｍｍ以上２ｍｍ以下である。
【００２６】
また、ノズル部１１を当てた口唇に違和感を与える観点から、上方突起１４は、突出方向の基端側から先端側に向かって先細りの立体形状を有することが好ましい。先細り形状の上方突起１４としては、図２に示すような円錐状の突起の他、角錐状の突起、円錐や角錐の頂部を曲面状に丸めた突起、円錐台状又は角錐台状の突起等が挙げられる。上方突起１４として、形態の異なる複数種類の上方突起１４を、周方向に所定の順序で配置することもできる。
【００２７】
本実施形態の容器用スパウト１のように、外周面１１ａにキャップ螺合用の螺条１５を備えたノズル部１１が、上端開口部１２の周縁部に上方突起１４を有する場合、スパウト付容器１００には、ノズル部１１を回転させてキャップ３を螺合させる際に、上方突起１４がキャップ３に接触しない位置又は接触しても該上方突起１４を潰さない位置で、それ以上の回転や螺合を阻止するストッパー機構を設けることが好ましい。そのようなストッパー機構を設けることにより、ノズル部１１に螺合させたキャップ３により、上方突起１４が変形したり潰れたりすることや、上方突起１４のキャップ３への食い込みを防止することができる。特定の位置で、それ以上の回転や螺合を阻止するストッパー機構は公知であり、各種公知のストッパー機構を採用することができる。そのようなストッパー機構の例としては、キャップ３の内周面に、ノズル部１１の螺条１５の端部や螺条１５間に設けた凸部と衝合する凸部を設けて衝合後の回転を阻止する機構や、ノズル部１１の外周面に、キャップ３の螺条３３の端部や螺条３３間に設けた凸部と衝合する凸部を設けて衝合後の回転を阻止する機構等が挙げられる。
【００２８】
また、ノズル部１１に上方突起１４を設ける場合、キャップ３には、図３に示すようなインナーリング３５又はアウターリング(図示せず)を設けて液密性、又は気密性及び気密性を向上させることが好ましい。図３に示すキャップ３は、平板状の天面部３１と天面部３１の周縁部から垂下する筒状部３２とを有しており、天面部３１における、筒状部３２から離間した位置に、天面部３１から垂下するように環状のインナーリング３５が形成されている。インナーリング３５は、ノズル部１１の上端開口部１２の内面側に当接し、アウターリング（図示せず）は、ノズル部１１の上端開口部１２の周縁部の外周面側に当接する。側方突起１３及び上方突起１４を設ける場合は、インナーリング３５を設けることが好ましい。
【００２９】
本発明のスパウト付容器及び容器は、非飲料の液体を収容して該液体の包装容器等として使用することができる。また、注出口を備えた注出容器やポンプ機構等により内部の液体を液状又は泡状として吐出する吐出容器に、注出又は吐出させる液体を補充するために用いられる詰め替え用の容器としても好ましく用いられる。
本発明のスパウト付容器又は容器に充填する非飲料の液体としては、シャンプー、コンディショナー、リンス等の液状のヘアケア剤、ボディソープやハンドソープ等の液体石鹸、衣類や食器用の液体洗剤、柔軟剤や漂白剤、バストイレや床洗浄用の液体洗浄剤、液状の化粧品、液状の医薬品等が挙げられる。スパウト付容器に充填する非飲料は、粉体、粒体、クリーム等の非液体であっても良い。
【００３０】
本発明における容器用スパウト１は、合成樹脂製であることが好ましい。また、側方突起１３若しくは上方突起１４又はこれらの両者は、ノズル部１１に一体成形により設けられていることが好ましい。またノズル部１１と固着部１９とは、合成樹脂の射出成形により一体成形されていることが好ましい。容器用スパウトを構成する合成樹脂としては、例えば、ポリエチレン（ＰＥ），ポリプロピレン（ＰＰ）、ポリブテン等のポリオレフィン、ポリエチレンテレフタレート（ＰＥＴ）等のポリエステル、ポリアミド、ポリ塩化ビニル、ポリスチレン、ポリ乳酸等が挙げられる。キャップ３も合成樹脂製であることが好ましい。
容器用スパウト１及びキャップ３は、それぞれ、合成樹脂製であることが好ましいが、アルミ等の金属やセラミックス製であってもよい。
また、上述した実施形態における容器本体部２を形成する可撓性シートとしては、ポリオレフィン、ポリエステル、ポリアミド等の合成樹脂又はこれらの組み合わせからなる単層又は多層のフィルムや積層シート、又はこれらにアルミニウム等の金属蒸着層を付加した積層シート等が挙げられるが、これらに制限されるものではない。
【００３１】
本発明の容器用スパウト１及びスパウト付容器は、上述した実施形態に制限されず、適宜変更可能である。
例えば、本発明の容器用スパウト１を取り付ける容器本体部２は、特開２００９−２８０２２８号公報に記載の袋容器のように、ブロー成形で作られた袋容器であっても良い。また、図２に示したスパウト付容器１００は、ノズル部１１の上端開口部１２の周縁部に形成された突起として、側方突起１３及び上方突起１４の２種類の突起が形成されていたが、側方突起１３を設けることなく上方突起１４のみを設けても良いし、図６に示すように、上方突起１４を設けることなく側方突起１３のみを設けても良い。上方突起１４を設けない場合、ノズル部１１の上端面１１ｂをキャップ３の天面部の下面に圧接させることにより、容器１００の内部が液密に密閉されるようにすることも好ましい。
【００３２】
また、図２に示した容器用スパウト１には、スパウト付容器１００の製造ラインにおける工程間の受け渡しを容易とするために、ノズル部１１の上端面１１ｂから７ｍｍ以上離間した位置に、上下２段の環状張り出し部１６，１７が設けられている。そのうちの上側の張り出し部１６の外周部に、前述した側方突起１３と同様の形態の突起が、周方向に間欠的に複数設けられても良い。斯かる突起が設けられることにより、更に誤飲を防止する効果を向上させることができる。なお、上側の張り出し部１６自体を設けなくても良く、更に上下２段の環状張り出し部１６，１７の両者を無くしても良い。ノズル部は、円筒形に代えて角筒状であっても良い。
【００３３】
また、容器本体部２に、誤飲防止に関する注意喚起情報が印刷されていても良い。例えば、天面シート部、正面シート部及び背面シート部のいずれか一部分に、「飲み物ではありません」の文字情報や、人が容器を口に当てて内容物を飲んでいる絵に×印が付されている絵情報が印刷されていても良い。印刷は、容器本体部２を形成する部材に直接印刷されていても良いし、該部材に貼着されたラベルに印刷されていても良い。
【００３４】
また、本発明の容器用スパウト１のノズル部の中心軸Ｌは、本発明の効果を奏する範囲で鉛直方向と非平行であっても良い。
【００３５】
本発明の容器は、筒状のノズル部を備えた容器であって、ノズル部の上端開口部の周縁部に複数の突起が形成されている容器である。前述したスパウト付容器１００も本発明の容器の一実施形態であるが、本発明の容器は、容器本体部とは別に製造した容器用スパウトを該容器本体部に固着してなるものに限られず、例えば、筒状のノズル部と容器本体部とがブロー成形等により一体成形された容器であっても良い。そのような容器においても、ノズル部の上端開口部の周縁部に、複数の突起、例えば前述した側方突起１３や上方突起１４と同様の複数の突起を設けることにより、前述したスパウト付容器１００と同様の誤飲防止効果が得られる。また本発明の容器は、射出成形やブロー成形等の任意の方法により製造した容器本体部に、別に製造した筒状体を固定してノズル部としたものであっても良い。また、前述した容器用スパウト１のノズル部１１や突起に関する構成や好ましい構成は、全部又は一部を、本発明の容器のノズル部に適用することもできる。
【符号の説明】
【００３６】
１００  スパウト付容器
１  容器用スパウト
１１  ノズル部
１１ａ  外周面
１１ｂ  上端面
１２  上端開口部
１２Ａ  注出路
１３  側方突起
１４  上方突起
１５  キャップ螺合用の螺条
１９  固着部
２  容器本体部
２１  天面シート部
２２  正面シート部
２３  背面シート部
２４  底面シート部
２５  収容部
３  キャップ
３１  天面部
３２ａ  内周面
３２  筒状部
３３  螺条
３５  インナーリング
【図１】
0006663190.tif 000002
【図２】
0006663190.tif 000003
【図３】
0006663190.tif 000004
【図４】
0006663190.tif 000005
【図５】
0006663190.tif 000006
【図６】
0006663190.tif 000007